(57)【要約】【課題】単価が安く、かつ、かさ高くない容器キャップを提供する。【解決手段】円盤状の天面部１２とこの天面部１２の外周下部から垂下する円筒部１４とからなり、容器１の口部３に被せられて円筒部１４の裾部１４ａが容器１のネック部５に曲げ掛けられることにより容器１を密封して固定される容器キャップ１０であって、天面部１２の外周縁部に径方向外側に突出する引っ掛かり部１６を設けるとともに、前記裾部１４ａに複数のスプリット線１８を円周方向に間隔をあけて形成したことを特徴とする。【選択図】図１
2005075392.tif 000002
【特許請求の範囲】
【請求項１】
円盤状の天面部とこの天面部の外周下部から垂下する円筒部とからなり、容器の口部に被せられて前記円筒部の裾部が前記容器のネック部に曲げ掛けられることにより前記容器を密封して固定される容器キャップであって、前記天面部の外周縁部に径方向外側に突出する引っ掛かり部を設けるとともに、前記裾部に複数のスプリット線を円周方向に間隔をあけて形成したことを特徴とする容器キャップ。
【請求項２】
前記引っ掛かり部は、一端部が閉じた円筒状キャップの閉鎖端部側を押しつぶすことにより形成されることを特徴とする請求項１に記載の容器キャップ。
【請求項３】
前記引っ掛かり部は、前記天面部の外周縁部全体にわたって設けられていることを特徴とする請求項１に記載の容器キャップ。
【請求項４】
前記天面部、前記円筒部および前記引っ掛かり部は、アルミ板から一体成形されていることを特徴とする請求項１に記載の容器キャップ。
【請求項５】
前記複数のスプリット線は、前記円筒部を構成する板の厚みの所定深さまで切り込まれた弱化線であることを特徴とする請求項１に記載の容器キャップ。
【請求項６】
前記容器の口部の開口部はゴム栓で封がされていることを特徴とする請求項１に記載の容器キャップ。
【発明の詳細な説明】
【技術分野】
【０００１】
本発明は、例えば医薬品用ガラス瓶のような容器の開口部を密封する容器キャップに関する。
【背景技術】
【０００２】
従来、例えば注射液などの医薬品を充填した比較的小さなガラス瓶のような容器を密封するためのキャップとして、例えば特許文献１では図２に示すようなキャップ４０が開示されている。
【０００３】
前記キャップ４０は、例えばアルミ板を絞り加工して形成された山高帽子のような形状をなしており、中央部に細長く突出する一端部閉鎖の上側円筒部４２と、この上側円筒部４２の下部につながって拡径された円筒状のスカート部４４とからなっている。スカート部４４の内径は、ガラス瓶１の開口部２を含む口部３の外径とほぼ等しく形成されている。
【０００４】
このように構成されるキャップ４０は、ガラス瓶１に内容物が充填されて開口部２がゴム栓４で封をされた後に、ガラス瓶１の口部３およびゴム栓４の上に被せられる。そして、キャップ４０は、スカート部４４の下側縁部４４ａが容器１のネック部５に曲げ込まれて巻き締められることにより、容器１を密封して固定される。
【０００５】
このように容器１に取り付けられたキャップ４０を開封する際には、使用者が容器１を手に持って、上側円筒部４２の上部を指で矢印Ａ方向に押すと、てこの原理によりスカート部４４には上側に上がろうとする力が作用する。これにより、スカート部４４の下側縁部４４ａが変形して容器１のネック部５との係合が外れ、その結果、キャップ４０を容器１から取り外すことができる状態になる。
【０００６】
【特許文献１】実公平１−２８０３６号公報
【発明の開示】
【発明が解決しようとする課題】
【０００７】
しかしながら、上述したキャップ４０では、その形状を成形するために絞り加工工程を何回かに分けて行う必要があり、生産工数がかかるためにそれだけ単価が高くなるという問題がある。
【０００８】
また、キャップ４０では、てこの原理により適度な力加減で開栓できるように上側円筒部４２を細長く上方に突出させる必要があるために、容器を含めた全体が高さ方向にかさ高くなるという問題もある。
【課題を解決するための手段】
【０００９】
そこで、前記問題を解決するために本発明は、円盤状の天面部とこの天面部の外周下部から垂下する円筒部とからなり、容器の口部に被せられて前記円筒部の裾部が前記容器のネック部に曲げ掛けられることにより前記容器を密封して固定される容器キャップであって、前記天面部の外周縁部に径方向外側に突出する引っ掛かり部を設けるとともに、前記裾部に複数のスプリット線を円周方向に間隔をあけて形成したことを特徴とするものである。
【００１０】
本発明の容器キャップでは、前記引っ掛かり部が、一端部が閉じた円筒状キャップの閉鎖端部側を押しつぶすことによって形成されてもよい。
【００１１】
また、本発明の容器キャップでは、前記引っ掛かり部が、前記天面部の外周縁部全体にわたって設けられていてもよい。
【００１２】
また、本発明の容器キャップでは、前記天面部、前記円筒部および前記引っ掛かり部が、アルミ板から一体成形されていてもよい。
【００１３】
また、本発明の容器キャップでは、前記複数のスプリット線が、前記円筒部を構成する板の厚みの所定深さまで切り込まれた弱化線であってもよい。
【００１４】
さらに、本発明の容器キャップでは、前記容器の口部の開口部がゴム栓で封がされていてもよい。
【発明の効果】
【００１５】
本発明の容器キャップでは、例えばアルミ板から１回の絞り加工で一端部が閉じた円筒キャップを形成し、その円筒状キャップの閉じた端部側を少し押しつぶして変形させることで前記引っ掛かり部を形成することができる。したがって、本発明の容器キャップによれば、絞り加工は１回だけでよく、工程の簡略化により単価を安くすることができる。
【００１６】
また、本発明の容器キャップでは、従来技術で説明したキャップのようにキャップ上部に突出する円筒部がないので、容器を含めた全体が高さ方向にかさ高くなることがない。
【００１７】
さらに、本発明の容器キャップによれば、例えば切り込み深さを調節することによりスプリット線の破断強さを任意に設定することができ、これにより容器キャップを適度な力加減で開栓できるようにすることができる。
【発明を実施するための最良の形態】
【００１８】
以下に、本発明の実施の形態について添付図面を参照して説明する。
図１は、例えば医薬品用容器である比較的小さなガラス瓶１を密封状態に栓をする容器キャップ１０の半断面図である。容器キャップ１０は、円盤状の天面部１２と、この天面部１２の外周下部から垂下する円筒部１４とからなっている。
【００１９】
容器キャップ１０には、天面部１２の外周縁部全体にわたって径方向外側に突出する引っ掛かり部１６が設けられている。この引っ掛かり部１６の円筒部１４からの突出幅は、例えば１ないし２ｍｍ程度であるが、それ以上であってもよい。引っ掛かり部１６は、天面部１２および円筒部１４と共に、例えば板厚０．２ｍｍのアルミ板から一体成形されている。
【００２０】
なお、引っ掛かり部１６は、必ずしも天面部１２の全外周にわたって形成されてなくてもよく、例えば隙間をあけて形成された複数の引っ掛かり部に分かれていてもよいし、あるいは、天面部１２の外周縁部の一部についてだけ設けられていてもよい。
【００２１】
円筒部１４の開口側端部である裾部１４ａには、複数のスプリット線１８が円周方向に適当な間隔をあけて形成されている。本実施形態おいてスプリット線１８は、円筒部１４の軸（Ｘ軸）方向に沿って長さが例えば数ｍｍ程度に形成されている。ただし、スプリット線１８は、円筒部１４の軸方向に対して１５°〜８０°の角度をなすように形成されてもよい。このように角度をつけることで、後述するように円筒部１４の裾部１４ａをガラス瓶１のネック部５に巻き締めるときに、スプリット線１８が破断してしまうのを防止する効果がある。
【００２２】
前記スプリット線１８は、円筒部１２の板厚の例えば３分の２まで切り込んだ弱化線として形成されている。この切り込み深さを調節することで、スプリット線１８の破断強さを任意に設定することができる。
なお、スプリット線１８は、浅く切り込んだ弱化線に限らず、例えばミシン目線として形成されてもよい。
【００２３】
前記容器キャップ１０は、次のようにして製造される。まず、アルミ板に複数のスプリット線１８を円周方向に並んで形成した後、型を用いた絞り加工を施すことによって、一端部が閉じた円筒状キャップをつくる。その後、円筒状キャップの閉じた端部側を少し押しつぶして変形させることにより、つぶれた部分が径方向外側に突出することで引っ掛かり部１６が形成される。
【００２４】
このようにして形成された容器キャップ１０は、開口部２がゴム栓４で封をされたガラス瓶１の口部３に被せられる。そして、円筒部１４の裾部１４ａがガラス瓶１のネック部５に円周方向にわたって曲げ込まれて巻き締められることにより、容器キャップ１０はガラス瓶１を密封した状態に固定される。これらの取付工程は、キャッパーと呼ばれる装置によって自動的に行われる。
【００２５】
上記のようにしてガラス瓶１に取り付けられて封をする容器キャップ１０を開栓する際には、図１に示すように、ガラス瓶１の本体部（図示せず）を手でつかんで、親指で引っ掛かり部１８を矢印Ｂ方向に押し上げる。これにより、例えば１本または２本のスプリット線１８が破断することで円筒部１４の巻き締められた裾部１４ａが広がり、円筒部１４の裾部１４ａがガラス瓶１のネック部５から外れ、その結果、容器キャップ１０をガラス瓶１から取り外すことができる。
【００２６】
なお、容器キャップ１０をガラス瓶１から取り外す際に、円筒部１４の折れ曲がった裾部１４ａがゴム栓４のフランジ部４ａに引っ掛かることにより、容器キャップ１０と共にゴム栓４がガラス瓶１の開口部２から抜けて取り外されてもよい。この場合、ゴム栓４は容器キャップ１０から容易に引き離すことができるので、分離廃棄が可能である。
【００２７】
以上に説明したように本実施形態の容器キャップ１０によれば、例えばアルミ板を１回の絞り加工で一端部が閉じた円筒キャップを形成し、その円筒状キャップの閉じた端部側を少し押しつぶして変形させることで引っ掛かり部１６を形成することができるので、絞り加工は１回だけでよく、工程の簡略化により単価を安くすることができる。
【００２８】
また、従来技術で説明したキャップ４０のようにキャップ上部に突出する円筒部がないので、ガラス瓶１を含めた全体が高さ方向にかさ高くなることがない。
【００２９】
さらに、切り込み深さを調節することによりスプリット線１８の破断強さを任意に設定することができ、これにより容器キャップ１０を適度な力加減で開栓できるようにすることができる。
【００３０】
なお、本実施形態ではガラス瓶１の開口部２をゴム栓４で封をした状態で容器キャップ１０を装着するものとして説明したが、本発明の容器キャップは、容器の開口部をゴム栓で封をすることなく、容器キャップの天面部の内側にプラスチック製の密封シール部材を配した状態で装着されてもよい。
【図面の簡単な説明】
【００３１】
【図１】本発明にかかる容器キャップの半断面図。
【図２】従来例のキャップの示す断面図。
【符号の説明】
【００３２】
１…ガラス瓶（容器）
２…開口部
３…口部
４…ゴム栓
５…ネック部
１０…容器キャップ
１２…天面部
１４…円筒部
１４ａ…裾部
１６…引っ掛かり部
１８…スプリット線
【図１】
2005075392.tif 000003
【図２】
2005075392.tif 000004